(57)【要約】無線通信ネットワークにおいてスロットメッセージのためのスロット予約を提供する、方法および装置を開示する。１つの例示的な例において、モバイル通信機器は、モバイル機器に割り当てられた各ｎ番目のページングスロットを予約するために、スロット予約指示を無線ネットワークに送信する。ある時点で、モバイル機器をページングするためのページメッセージリクエストは無線ネットワーク内で受信される。モバイル機器をページングするためのページメッセージは予約済みのページングスロット内へ送信されることを抑制されるが、予約済みのページングスロットに関連する時間の経過後には、モバイル機器に割り当てられた次のページングスロット内で送信される。スロット予約中は、モバイル機器はＧＰＳ位置固定やネットワーク走査処理などの機能を実行し得る。
2007513590.tif 000002
【特許請求の範囲】
【請求項１】
無線通信ネットワークにおいてスロットメッセージに対するスロット予約を提供する方法であって、該方法は、
該無線ネットワーク内で、該無線ネットワークにおいて動作しているモバイル通信機器に対するページメッセージリクエストを受信するステップと、
１つ以上のページングスロットを予約するための、モバイル機器に対するスロット予約指示を識別することに基づいて、該ページメッセージリクエストに対応するページメッセージを該モバイル機器に割り当てられている該１つ以上のページングスロット内へ送信させるのを抑えるステップと、
該予約の１つ以上のページングスロットに関連する時間が経過した後、該モバイル機器に割り当てられている１つ以上の次のページングスロット内へ該ページメッセージを送信させるステップと
を包含する、方法。
【請求項２】
前記スロット予約指示を識別しないことに基づいて、前記モバイル機器に割り当てられている前記１つ以上のページングスロット内へ前記ページメッセージを送信させることをさらに包含する、請求項１に記載の方法。
【請求項３】
前記モバイル機器から前記スロット予約指示を受信することをさらに包含する、請求項１に記載の方法。
【請求項４】
前記モバイル機器によって実行される所定の機能を識別することと、
該モバイル機器によって実行される該所定の機能を識別することに基づいて、該モバイル機器に対して前記スロット予約指示を設定することと
をさらに包含する、請求項１に記載の方法。
【請求項５】
前記スロット予約指示が、前記モバイル機器へ割り当てられた各ｎ番目のページングスロットを予約するためのものである、請求項１に記載の方法。
【請求項６】
前記モバイル機器に対する近辺リストメッセージに基づいて、該モバイル機器に対して前記スロット予約指示を設定することをさらに包含する、請求項１に記載の方法。
【請求項７】
コンピュータプログラム製品であって、
記憶媒体と、
該記憶媒体に格納されているコンピュータ命令と
を有し、
該コンピュータ命令は、
無線通信ネットワーク内で、該無線ネットワークにおいて動作しているモバイル通信機器に対するページメッセージリクエストを受信し、
モバイル機器に対して１つ以上のページングスロットを予約するためのスロット予約指示を識別することに基づいて、該ページメッセージリクエストに対応するページメッセージを該モバイル機器に割り当てられている該１つ以上のページングスロット内へ送信させるのを抑え、
該予約の１つ以上のページングスロットに関連する時間が経過した後、該モバイル機器に割り当てられている１つ以上の次のページングスロット内へ該ページメッセージを送信させる
ために、１つ以上のプロセッサによって実行可能である、コンピュータプログラム製品。
【請求項８】
前記コンピュータ命令が、
前記スロット予約指示を識別しないことに基づいて、前記モバイル機器に割り当てられている前記１つ以上のページングスロット内へ前記ページメッセージを送信させるためにさらに実行可能である、請求項７に記載のコンピュータプログラム製品。
【請求項９】
前記コンピュータ命令が、
前記モバイル機器から前記スロット予約指示を受信するためにさらに実行可能である、請求項７に記載のコンピュータプログラム製品。
【請求項１０】
前記コンピュータ命令が、
前記モバイル機器によって実行される所定の機能を識別し、
該モバイル機器によって実行される該所定の機能を識別することに基づいて、該モバイル機器に対して前記スロット予約指示を設定する
ためにさらに実行可能である、請求項７に記載のコンピュータプログラム製品。
【請求項１１】
前記スロット予約指示が、前記モバイル機器へ割り当てられた各ｎ番目のページングスロットを予約するためのものである、請求項７に記載のコンピュータプログラム製品。
【請求項１２】
前記コンピュータ命令が、
前記モバイル機器に対する近辺リストメッセージに基づいて、該モバイル機器に対して前記スロット予約指示を設定するためにさらに実行可能である、請求項７に記載のコンピュータプログラム製品。
【請求項１３】
無線通信ネットワークにおいて使用するためのネットワーク処理コンポーネントであって、
１つ以上のプロセッサと、
メモリと、
該メモリ内に格納されたコンピュータ命令と
を有し、
該コンピュータ命令は、
無線通信ネットワーク内で、該無線ネットワークにおいて動作しているモバイル通信機器に対するページメッセージリクエストを受信し、
モバイル機器に対して１つ以上のページングスロットを予約するためのスロット予約指示を識別することに基づいて、該ページメッセージリクエストに対応するページメッセージを該モバイル機器に割り当てられている該１つ以上のページングスロット内へ送信させるのを抑え、
該予約の１つ以上のページングスロットに関連する時間が経過した後、該モバイル機器に割り当てられている１つ以上の次のページングスロット内へ該ページメッセージを送信させる
ために、該１つ以上のプロセッサによって実行可能である、ネットワーク処理コンポーネント。
【請求項１４】
前記コンピュータ命令が、
前記スロット予約指示を識別しないことに基づいて、前記モバイル機器に割り当てられている前記１つ以上のページングスロット内へ前記ページメッセージを送信させるためにさらに実行可能である、請求項１３に記載のネットワーク処理コンポーネント。
【請求項１５】
前記コンピュータ命令が、
前記モバイル機器から前記スロット予約指示を受信するためにさらに実行可能である、請求項１３に記載のネットワーク処理コンポーネント。
【請求項１６】
前記コンピュータ命令が、
前記モバイル機器によって実行される所定の機能を識別し、
該モバイル機器によって実行される該所定の機能を識別することに基づいて、該モバイル機器に対して前記スロット予約指示を設定する
ためにさらに実行可能である、請求項１３に記載のネットワーク処理コンポーネント。
【請求項１７】
前記スロット予約指示が、前記モバイル機器へ割り当てられた各ｎ番目のページングスロットを予約するためのものである、請求項１３に記載のネットワーク処理コンポーネント。
【請求項１８】
無線通信ネットワークにおいてスロットメッセージに対するスロット予約を提供する方法であって、該方法は、
モバイル機器から該無線ネットワークへスロット予約指示を送信させるステップであって、該スロット予約指示は、該モバイル機器に割り当てられている該無線ネットワークの１つ以上のページングスロットを予約するためのものである、ステップと、
該スロット予約指示が送信された後、該無線ネットワークの該１つ以上の予約済みページングスロットにおいてページメッセージをモニタリングすることを抑えるステップと
を包含する、方法。
【請求項１９】
前記スロット予約指示が、前記モバイル機器へ割り当てられた各ｎ番目のページングスロットを予約するためのものである、請求項１８に記載の方法。
【請求項２０】
前記１つ以上の予約済みページングスロット中に、同一または異なる無線ネットワークの異なるチャネルをモニタリングすることをさらに包含する、請求項１８に記載の方法。
【請求項２１】
前記１つ以上の予約済みページングスロット中に、Ｇｌｏｂａｌ  Ｐｏｓｉｔｉｏｎｉｎｇ  Ｓｙｓｔｅｍ（ＧＰＳ）固定を実行することをさらに包含する、請求項１８に記載の方法。
【請求項２２】
前記１つ以上の予約済みページングスロット中に、ネットワーク走査動作を実行することをさらに包含する、請求項１８に記載の方法。
【請求項２３】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記方法が、
前記１つ以上の予約済みページングスロット中に、該第２のトランシーバ部分を用いて該第２の無線ネットワークのチャネルをモニタリングすることをさらに包含する、請求項１８に記載の方法。
【請求項２４】
コンピュータプログラム製品であって、
記憶媒体と、
該記憶媒体に格納されているコンピュータ命令と
を有し、
該コンピュータ命令は、
該モバイル機器に割り当てられている無線ネットワークの１つ以上のページングスロットを予約するためのものであるスロット予約指示をモバイル機器から無線通信ネットワークへ送信させ、
該スロット予約指示が送信された後、該無線ネットワークの該１つ以上の予約済みページングスロットにおいてページメッセージをモニタリングすることを抑える
ために、１つ以上のプロセッサによって実行可能である、コンピュータプログラム製品。
【請求項２５】
前記スロット予約指示が、前記モバイル機器へ割り当てられた各ｎ番目のページングスロットを予約するためのものである、請求項２４に記載のコンピュータプログラム製品。
【請求項２６】
前記コンピュータ命令が、
前記１つ以上の予約済みページングスロット中に、同一または異なる無線ネットワークの異なるチャネルをモニタリングするためにさらに実行可能である、請求項２４に記載のコンピュータプログラム製品。
【請求項２７】
前記コンピュータ命令が、
前記１つ以上の予約済みページングスロット中に、Ｇｌｏｂａｌ  Ｐｏｓｉｔｉｏｎｉｎｇ  Ｓｙｓｔｅｍ（ＧＰＳ）固定を実行するためにさらに実行可能である、請求項２４に記載のコンピュータプログラム製品。
【請求項２８】
前記コンピュータ命令が、前記１つ以上の予約済みページングスロット中に、ネットワーク走査処理を実行するためにさらに実行可能である、請求項２４に記載のコンピュータプログラム製品。
【請求項２９】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記コンピュータ命令が、
前記１つ以上の予約済みページングスロット中に、該第２のトランシーバ部分を用いて該第２の無線ネットワークのチャネルをモニタリングするためにさらに実行可能である、請求項２４に記載のコンピュータプログラム製品。
【請求項３０】
モバイル通信機器であって、
１つ以上のプロセッサと、
該１つ以上のプロセッサと結合された無線トランシーバとを備え、
該１つ以上のプロセッサが、
該モバイル機器に割り当てられている無線ネットワークの１つ以上のページングスロットを予約するためのものであるスロット予約指示をモバイル機器から無線通信ネットワークへ送信させ、
該スロット予約指示が送信された後、該無線ネットワークの該１つ以上の予約済みページングスロットにおいてページメッセージをモニタリングすることを抑える
ように動作する、モバイル通信機器。
【請求項３１】
前記スロット予約指示が、前記モバイル機器へ割り当てられた各ｎ番目のページングスロットを予約するためのものである、請求項３０に記載のモバイル通信機器。
【請求項３２】
前記１つ以上のプロセッサが、
前記１つ以上の予約済みページングスロット中に、同一または異なる無線ネットワークの異なるチャネルをモニタリングするようにさらに動作する、請求項３０に記載のモバイル通信機器。
【請求項３３】
前記１つ以上のプロセッサが、
前記１つ以上の予約済みページングスロット中に、Ｇｌｏｂａｌ  Ｐｏｓｉｔｉｏｎｉｎｇ  Ｓｙｓｔｅｍ（ＧＰＳ）固定を実行するようにさらに動作する、請求項３０に記載のモバイル通信機器。
【請求項３４】
前記１つ以上のプロセッサが、
前記１つ以上の予約済みページングスロット中に、ネットワーク走査処理を実行するようにさらに動作する、請求項３０に記載のモバイル通信機器。
【請求項３５】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記１つ以上のプロセッサが、
前記１つ以上の予約済みページングスロット中に、該第２のトランシーバ部分を用いて該第２の無線ネットワークのチャネルをモニタリングするためにさらに実行可能である、請求項３０に記載のモバイル通信機器。
【請求項３６】
前記１つ以上のプロセッサが、近辺リストメッセージに基づいて前記スロット予約指示を送信するようにさらに動作する、請求項３０に記載のモバイル通信機器。
【発明の詳細な説明】
【技術分野】
【０００１】
（関連出願の相互参照）
本出願は、「Ｍｅｔｈｏｄ  Ｏｆ  Ｒｅｓｅｒｖｅｄ Ｓｌｏｔｔｅｄ  Ｍｅｓｓａｇｉｎｇ」と題され、２００３年１２月８日に出願された米国特許仮出願第６０／５２７，８６８の優先権を主張する。当該出願を本明細書中に援用する。
【０００２】
本出願は、広義には無線通信ネットワークにおいて動作する移動局に関し、より詳細には、無線通信ネットワークにおいてスロットメッセージに対するスロット予約を提供するための方法および装置に関する。
【背景技術】
【０００３】
セルラー式の遠距離通信ネットワークにおいて動作する移動局等の無線通信機器は、音声電話とデータ通信との両方を提供し得る。移動局は、たとえば、第３世代（３Ｇ）通信規格（ＩＳ−２０００  Ｒｅｌｅａｓｅ  ０等）と互換性があり、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、時分割多重アクセス（ＴＤＭＡ）、符号分割多重アクセス（ＣＤＭＡ）の無線ネットワーク技術を利用している。
【０００４】
ＩＳ−２０００が定義するＣＤＭＡにおいて、通常のスロットモードにおいて動作する移動局は、１．２８＊２＾ｉ秒の間隔でページングスロット内のページメッセージをモニタするように起動する。ここで、ｉは０〜７の整数である。ｉの値は「スロットサイクル指数」と呼ばれ、移動局によって選択され、インフラストラクチャと共に登録される。スロットメッセージは、移動局におけるバッテリ電力を節約するための努力の中、無線通信ネットワークにおいて何年もの間利用されてきた。
【０００５】
ＩＳ−２０００のＲｅｌｅａｓｅ  Ｄでは、移動局がアイドリング時やページをモニタリングしている際に「低減されたスロットモード」において動作することを可能にするという新規な特徴が定義された。具体的には、−４から−１の値が、低減されたスロットモードに対するスロットサイクル指数ｉに可能な値として認められる。このことによって、モバイル同士の通話においてより高速な通話セットアップ時間が可能となる。高速な通話セットアップのために短縮されたスロットサイクルは、Ｐｕｓｈ−Ｔｏ−Ｔａｌｋ（ＰＴＴ）通信アプリケーション等のアプリケーションのために非常に所望されている。低減されたスロットモードは、移動局とインフラストラクチャとの間で、たとえば通話を発信する際にネゴシエートされ得る。この場合、低減されたスロットモードに対して同意されたｉの値は、移動局とインフラストラクチャとが通常のスロットモードに対する以前のｉの値に戻すまでの時間の間、アクティブである。さらに、移動局がアイドル状態の場合、新たなｉの値がネゴシエートされ、ある時間の間アクティブとなる。
【０００６】
移動局が低減されたスロットモードにおいて動作することを要求する別の理由は、高速な通話セットアップやＰＴＴ通信とは無関係である。特に、移動局が比較的高い容量または比較的大きな電源（たとえば壁に取り付けた電源、自動車電源、ＵＳＢコネクタを介するＰＣ電源）と共に動作している場合、移動局は電力の節約とは関係なく短縮されたスロットサイクルを要求し得る。移動局は、それ（たとえばＰＴＴ通信）を要求する別の機構がアクティブでない場合でも、短縮された通話セットアップ時間から利益を得るために、短縮されたスロットサイクルを要求する。
【０００７】
通常のスロットモードでは、ページングスロット間で移動局は比較的長い時間を有する。この時間の間、移動局は「スリープモード」で動作するか、あるいは、ページをモニタリングしている間は本来ならばできないような任意のその他の動作を行う。このような動作は、Ｇｌｏｂａｌ  Ｐｏｓｉｔｉｏｎｉｎｇ  Ｓｙｓｔｅｍ（ＧＰＳ）信号を検索すること、現在のものと異なるその他のＣＤＭＡ周波数を走査すること、あるいは８０２．１１（たとえばＷｉＦｉ）、ＧＳＭ／ＧＰＲＳ、またはＵＭＴＳネットワークのようなその他の無線ネットワークを走査することを含む。しかしながら、低減されたスロットモードにおいて、移動局はもはやこのような動作を実行するのに適切な時間を有していない。移動局がこのような動作を低減されたスロットモードにおいて実行すると、割り当てられたページングスロットを失い得る。このページングスロット中にインフラストラクチャが移動局をページングする場合、移動局はページを失い、そのことによって通信準備に重大な遅れが生じ得る。従来の移動局が、低減されたスロットモードにおいてこの方式で適切に動作できないのはこのような理由のためである。
【０００８】
その他の通信技術は同様の問題を生じ得る。
【発明の開示】
【発明が解決しようとする課題】
【０００９】
したがって、無線通信ネットワークにおけるスロットメッセージのための改良された技術が必要である。
【課題を解決するための手段】
【００１０】
無線通信ネットワークにおいてスロットメッセージのためのスロット予約を提供する、方法および装置を本明細書に記載する。１つの例示的な例において、モバイル通信機器は、モバイル機器に割り当てられた各ｎ番目のページングスロットを予約するために、スロット予約指示を無線ネットワークに送信する。ある時点で、モバイル機器をページングするためのページメッセージリクエストは無線ネットワーク内で受信される。モバイル機器をページングするためのページメッセージは予約済みのページングスロット内へ送信されることを抑制されるが、予約済みのページングスロットに関連する時間の経過後には、モバイル機器に割り当てられた次のページングスロット内で送信される。スロット予約中は、モバイル機器はＧＰＳ位置固定やネットワーク走査処理などの機能を実行し得る。
【００１１】
代替的なアプローチでは、無線ネットワークは無線ネットワークに関連する近辺リストメッセージを用いてモバイル機器に対する予約を推測し得る。たとえば、無線ネットワークはＰａｇｉｎｇ  ＣｈａｎｎｅｌまたはＢｒｏａｄｃａｓｔ  Ｃｏｍｍｏｎ  Ｃｏｎｔｒｏｌ  Ｃｈａｎｎｅｌ等の制御チャネル上に送信された近辺リストメッセージを検討し得る。ここで、無線ネットワークは現在のネットワーク周波数とは異なる周波数の存在か、現在のネットワークとは異なる無線技術の存在かをメッセージ内で識別し、それに応じてモバイル機器に対して予約を設定する。
【００１２】
ここで、添付図面を参照し、本出願の実施携帯を例示によって説明する。
【発明を実施するための最良の形態】
【００１３】
無線通信ネットワークにおいてスロットメッセージのためのスロット予約を提供する、方法および装置を本明細書に記載する。１つの例示的な例において、モバイル通信機器は、モバイル機器に割り当てられた各ｎ番目のページングスロットを予約するために、スロット予約指示を無線ネットワークに送信する。ある時点で、モバイル機器をページングするためのページメッセージリクエストは無線ネットワーク内で受信される。モバイル機器をページングするためのページメッセージは予約済みのページングスロット内へ送信されることを抑制されるが、予約済みのページングスロットに関連する時間の経過後には、モバイル機器に割り当てられた次のページングスロット内で送信される。スロット予約中は、モバイル機器はＧＰＳ位置固定やネットワーク走査処理などの機能を実行し得る。代替的なアプローチでは、無線ネットワークは無線ネットワークに関連する近辺リストメッセージを用いてモバイル機器に対する予約を推測し得る。たとえば、無線ネットワークはＰａｇｉｎｇ  ＣｈａｎｎｅｌまたはＢｒｏａｄｃａｓｔ  Ｃｏｍｍｏｎ  Ｃｏｎｔｒｏｌ  Ｃｈａｎｎｅｌ等の制御チャネル上に送信されたＧｅｎｅｒａｌ  Ｎｅｉｇｈｂｏｒ  Ｌｉｓｔ  Ｍｅｓｓａｇｅ等の近辺リストメッセージを検討し得る。ここで、無線ネットワークは現在のネットワーク周波数とは異なる周波数の存在か、現在のネットワークとは異なる無線技術の存在かをメッセージ内で識別し、それに応じてモバイル機器に対して予約を設定する。
【００１４】
図１は、無線通信ネットワーク１０４を介して通信するモバイル通信機器１０２を含む、通信システム１００のブロック図である。モバイル機器１０２は、好ましくはビジュアルディスプレイ１１２と、キーボード１１４と、場合によっては１つ以上の補助ユーザインターフェース（ＵＩ）１１６とを含む。それぞれはコントローラ１０６と結合されている。コントローラ１０６は、無線周波数（ＲＦ）トランシーバ回路網１０８およびアンテナ１１０とも結合されている。
【００１５】
一般的に、コントローラ１０６は、メモリコンポーネント内のオペレーティングシステムソフトウェアを動作させる中央演算ユニット（ＣＰＵ）（図示せず）として具体化される。コントローラ１０６は、通常はモバイル機器１０２の全体の動作を制御するが、通信機能に関連する信号処理動作は一般的にＲＦトランシーバ回路網１０８によって実行される。コントローラ１０６は、受信した情報、格納されている情報、ユーザ入力等を表示する機器ディスプレイ１１２とインターフェース接続する。キーボード１１４は、電話タイプのキーパッドまたは完全なアルファベット式キーボードであり得、通常、モバイル機器１０２に格納するデータ、ネットワーク１０４へ送信する情報、電話の通話をするための番号、モバイル機器１０２上で実行されるコマンド、あるいはその他のユーザ入力または異なるユーザ入力を入力するために提供される。
【００１６】
モバイル機器１０２は、アンテナ１１０を介してネットワーク１０４と無線リンク上で通信信号を送受信する。ＲＦトランシーバ回路網１０８は、たとえば変調／復調、場合によってはエンコード／デコードおよび暗号化／解読を含む、無線ネットワーク（ＲＮ）１２８と同様の機能を実行する。ＲＦトランシーバ回路網１０８は、ＲＮ１２８によって実行される機能に加えて、所定の機能を実行し得る。ＲＦトランシーバ回路網１０８が、特定の無線ネットワークまたはモバイル機器１０２が動作するよう意図されるネットワークに適合されるということは、当業者には明白であろう。モバイル機器１０２が完全に動作している場合、一般的に、ＲＦトランシーバ回路網１０８のＲＦ送信器は、ネットワークへ送信する際にのみオンになり、それ以外では資源を節約するためにオフになっている。同様に、ＲＦトランシーバ回路網１０８のＲＦ受信器は、一般的に、設計された時間の間に信号または情報（たとえあったとしても）を受信するためにＲＦ受信器が必要とされるまで、電力を節約するために、周期的にオフにされる。
【００１７】
好ましくは、ＲＦトランシーバ回路網１０８は無線ネットワーク１０４（たとえばセルラー式ネットワーク）と通信するための第１のトランシーバ部分と、代替的な無線ネットワークと通信するための第２のトランシーバ部分とを有する。たとえば、第１のトランシーバ部分はＰｅｒｓｏｎａｌ  Ｃｏｍｍｕｎｉｃａｔｉｏｎ  Ｓｅｒｖｉｃｅ（ＰＣＳ）ネットワークと通信し得、第２のトランシーバ部分はＧＰＳネットワークと通信するためのものであり得る。アンテナ１１０は、ＲＦトランシーバ回路網１０８の第１のトランシーバ部分と第２のトランシーバ部分とによって共有されている。この構造によって、モバイル機器１０２が両方のネットワークから同時に情報を受信することは困難であり、切り替えが実行される場合、一方のネットワークまたは他方のネットワークからの情報が失われる。
【００１８】
モバイル機器１０２は、１つ以上の充電可能なバッテリ１２４を受け入れるための電源インターフェース１２２を含む。バッテリ１２４は、モバイル機器１０２の電気回路へ電力を供給し、電源インターフェース１２２は、バッテリ１２４へ機械的接続および電気的接続を提供する。電源インターフェース１２２は、機器への電力を調節する調節器１２６と結合されている。電源インターフェース１２２はまた、第２の電源１２５とも接続するように適合されている。第２の電源１２５は、バッテリ１２４よりも容量が大きい、すなわち容量が高い。第２の電源１２５はモバイル機器１０２へ無制限の電力供給を提供する。第２の電源１２５は、たとえば、壁に取り付けたＡＣ電源、「シガレットライター」またはその他の適切な接続を介する自動車電源、あるいはＵｎｉｖｅｒｓａｌ  Ｓｅｒｉａｌ  Ｂｕｓ（ＵＳＢ）接続を介するＰＣ電源であり得る。
【００１９】
モバイル機器１０２は、加入者識別モジュール（ＳＩＭ）またはＲｅｍｏｖａｂｌｅ  Ｕｓｅｒ  Ｉｄｅｎｔｉｔｙ  Ｍｏｄｕｌｅ（Ｒ−ＵＩＭ）等のメモリモジュール１２０を用いて動作する。メモリモジュール１２０は、モバイル機器１０２のインターフェース１１８に接続されるか、挿入される。ＳＩＭまたはＲ−ＵＩＭの代替として、モバイル機器１０２は、サービスプロバイダによってモバイル機器１０２の不揮発性メモリへプログラミングされた構成データに基づいて動作し得る。モバイル機器１０２は、データ通信機器、携帯電話、データ通信機能と音声通信機能とを備える多機能通信機器、無線通信可能な携帯情報端末（ＰＤＡ）のような単一のユニット、あるいはコンピュータ内蔵の内部モデムで構成され得る。代替的に、モバイル機器１０２は、複数の個々のコンポーネントを備えるマルチモジュールユニットであり得る。このようなコンポーネントには、無線モデムに接続されたコンピュータまたはその他の機器が含まれるが、これらに限定はしない。特に、たとえば、図１のブロック図の移動局では、ＲＦトランシーバ回路網１０８とアンテナ１１０とは、ラップトップコンピュータのポートへ挿入され得る無線モデムとして実施され得る。この場合、ラップトップコンピュータはディスプレイ１１２と、キーボード１１４と、１つ以上の補助ＵＩ１１６とを含む。コントローラ１０６は、コンピュータのＣＰＵとして、あるいはモデムユニット内の別個のＣＰＵとして具体化される。通常は無線通信が可能でないコンピュータまたは装備が、上記したうちの１つのようなシングルユニットの機器の、ＲＦトランシーバ回路網１０８およびアンテナ１１０へ接続され、効果的に制御を担うということもまた考慮されたい。このようなモバイル機器１０２は、図２の移動局２０２と関連して後述する、より詳細な実施を有し得る。
【００２０】
モバイル機器１０２は、無線ネットワーク１０４内で、また、無線ネットワーク１０４を介して、通信する。図１の実施形態において、無線ネットワーク１０４は、符号分割多重アクセス（ＣＤＭＡ）技術に基づいて、第２世代（２Ｇ）または第３世代（３Ｇ）のサポートされたネットワークである。特に、無線ネットワーク１０４はＣＤＭＡ２０００（登録商標）ネットワークである。ＣＤＭＡ２０００（登録商標）ネットワークは、図１に示すように結合された、固定のネットワークコンポーネントを含む。ＣＤＭＡ２０００タイプの無線ネットワーク１０４は、Ｒａｄｉｏ  Ｎｅｔｗｏｒｋ（ＲＮ）１２８と、Ｍｏｂｉｌｅ  Ｓｗｉｔｃｈｉｎｇ  Ｃｅｎｔｅｒ（ＭＳＣ）１３０と、Ｓｉｇｎａｌｉｎｇ  Ｓｙｓｔｅｍ７（ＳＳ７）ネットワーク１４０と、Ｈｏｍｅ  Ｌｏｃａｔｉｏｎ  Ｒｅｇｉｓｔｅｒ／Ａｕｔｈｅｎｔｉｃａｔｉｏｎ  Ｃｅｎｔｅｒ（ＨＬＲ／ＡＣ）１３８と、Ｐａｃｋｅｔ  Ｄａｔａ  Ｓｅｒｖｉｎｇ  Ｎｏｄｅ（ＰＤＳＮ）１３２と、ＩＰネットワーク１３４と、Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ（ＲＡＤＩＵＳ）サーバ１３６とを含む。ＳＳ７ネットワーク１４０は、モバイル機器１０２を通話当事者１５０（たとえば陸上電話またはその他の移動局）または緊急通話センター１５２等のその他の通話当事者と接続し得るネットワーク１４２（Ｐｕｂｌｉｃ  Ｓｗｉｔｃｈｅｄ  Ｔｅｌｅｐｈｏｎｅ  ＮｅｔｗｏｒｋすなわちＰＳＴＮ等）と通信するように結合される。他方で、ＩＰネットワーク１３４は、インターネット等の別のネットワーク１４４と通信するように結合される。ＣＤＭＡ２０００（登録商標）は、Ｔｅｌｅｃｏｍｍｕｎｉｃａｔｉｏｎｓ  Ｉｎｄｕｓｔｒｙ  Ａｓｓｏｃｉａｔｉｏｎ（ＴＩＡ−ＵＳＡ）の登録商標である。
【００２１】
動作中、モバイル機器１０２は、通話セットアップ、通話処理、移動管理等を実行するＲＮ１２８と通信する。ＲＮ１２８は、複数の基地局トランシーバシステムを含む。複数の基地局トランシーバシステムは、一般に「セル」と呼ばれる特定のカバレージエリアに対する無線ネットワークカバレージを提供する。図１に示す１つの基地局トランシーバシステムのような、与えられたＲＮ１２８の基地局トランシーバシステムは、そのセル内にあるモバイル機器へ通信信号を送信し、モバイル機器から通信信号を受信する。基地局トランシーバシステムは、通常はあらかじめ定められている特定の通信プロトコルおよびパラメータに従って送信される信号の、変調と、場合によってはエンコードおよび／または暗号化等の機能を、コントローラの制御下で実行する。基地局トランシーバシステムは、同様に、セル内にあるモバイル機器１０２から受信した任意の通信信号を、復調し、必要であれば、場合によってはデコードし、解読する。通信プロトコルおよびパラメータは、異なるネットワーク間では変化し得る。たとえば、１つのネットワークは異なる変調スキームを採用し得、他のネットワークとは異なる周波数で動作し得る。基本となるサービスも、特定のプロトコルの改定に基づいて異なり得る。
【００２２】
図１の通信システム１００に示す無線リンクは、一般的には異なる無線周波数（ＲＦ）のチャネルである、１つ以上の異なるチャネルと、無線ネットワーク１０４とモバイル機器１０２との間で用いられる関連プロトコルとを表す。無線ネットワークが実際の使用では所望のネットワーク全体の範囲に応じて数百のセルを含み得るということは、当業者であれば理解できよう。属する全てのコンポーネントは、複数のスイッチおよびルータ（図示せず）によって接続され得、複数のネットワークコントローラによって制御され得る。
【００２３】
ネットワークオペレータと共に登録された全ての移動局１０２に関し、一時的なデータ（移動局１０２の現在位置等）のみでなく永久的なデータ（モバイル機器１０２のユーザのプロフィール等）もＨＬＲ／ＡＣ１３８に格納されている。モバイル機器１０２への音声通話の場合、ＨＬＲ／ＡＣ１３８は、モバイル機器１０２の現在位置を決定するためにクエリーされる。ＭＳＣ１３０のＶｉｓｉｔｏｒ  Ｌｏｃａｔｉｏｎ  Ｒｅｇｉｓｔｅｒ（ＶＬＲ）は、位置領域のグループに責任があり、責任のある領域に現在存在するそれらの移動局のデータを格納する。これは、より高速なアクセスのために、ＨＬＲ／ＡＣ１３８からＶＬＲへ送信された永久的な移動局データの部分を含む。しかしながら、ＭＳＣ１３０のＶＬＲはまた、一時的なＩＤのようなローカルデータをも割り当て、格納し得る。モバイル機器１０２は、また、ＨＬＲ／ＡＣ１３８によってシステムアクセスの際に認証される。ＣＤＭＡ２０００ベースのネットワーク内にあるモバイル機器１０２へパケットデータを提供するために、ＲＮ１２８はＰＤＳＮ１３２と通信する。ＰＤＳＮ１３２は、ＩＰネットワーク１３４を介して、インターネット１４４（またはイントラネット、Ｗｉｒｅｌｅｓｓ  Ａｐｐｌｉｃａｔｉｏｎ  Ｐｒｏｔｏｃｏｌ（ＷＡＰ）サーバ等）へのアクセスを提供する。ＰＤＳＮ１３２は、仮想プライベートネットワーキングに対するパケット転送のみでなく、モバイルＩＰネットワークにおける海外のエージェント（ＦＡ）機能をも提供する。ＰＤＳＮ１３２はＩＰアドレスの範囲を有し、ＩＰアドレス管理、セッション維持、選択的なキャッシングを実行する。ＲＡＤＩＵＳサーバ１３６はパケットデータサービスの認証、許可、アカウンティング（ＡＡＡ）に関連する機能の実行に責任があり、ＡＡＡサーバとも呼ばれることもある。
【００２４】
無線通信ネットワーク１０４は、移動局の位置を追跡するための位置追跡コンポーネントを含む。移動局の位置情報は、従来のＧＰＳシステム１５４のＧＰＳサテライトを利用するＧｌｏｂａｌ  Ｐｏｓｉｔｉｏｎｉｎｇ  Ｓｙｓｔｅｍ（ＧＰＳ）技術に基づいて取得される。一般的な構成において、ＧＰＳシステム１５４は、１２時間毎に地球を回る２４時間ＧＰＳサテライトを含む。本出願では、モバイル機器１０２は、ＧＰＳシステム１５４から受信した信号に基づいてＧＰＳ情報を取得し、必要なときに位置を測定し取得するために無線ネットワーク１０４内の位置サーバ１９０を利用し得る。位置サーバ１９０は、ＭＳＣ１３０および／またはＩＰネットワーク１３４と接続され、Ｐｏｓｉｔｉｏｎ  Ｄｅｔｅｒｍｉｎａｔｉｏｎ  Ｅｎｔｉｔｙ（ＰＤＥ）と呼ばれるものを含み得る。ＰＤＥは、信号を受信したりＧＰＳシステム１５４によって送信された情報をデコードしたりするためにＧＰＳ受信器１９２と結合される。
【００２５】
モバイル機器１０２の動作中、リアルタイムのＧＰＳ位置情報が取得され、受信エンティティへ送信される。ＧＰＳ位置情報を取得するために、モバイル機器１０２はＧＰＳシステム１５４と共に動作する。従来、モバイル機器１０２はＧＰＳ固定を実行し得る。ＧＰＳ固定では、モバイル機器１０２が、セルラー式ネットワークとの通信に利用されている周波数とは異なるＧＰＳシステム１５４のＧＰＳ信号周波数に合わせる。ＧＰＳ固定中、モバイル機器１０２は、位置情報に対応するＧＰＳ信号をＧＰＳシステム１５４から受信する。このことは、定期的／周期的な基準または特定の基準に基づいて実行され得る。このように、モバイル機器１０２は、たとえば３００ミリ秒〜２秒の間で、各回につき一回以上、どこかからセルラー式ネットワークから外れ得る。明らかなように、セルラー式ネットワークからのページメッセージは、モバイル機器１０２がこれらの機能を実行している間に失われ得る。しかしながら、図４〜図７と関連してより詳細に説明する本出願の教示に従えばこれらの問題は軽減され得る。
【００２６】
図２は、好ましいモバイル機器すなわち移動局２０２の詳細なブロック図である。移動局２０２は、好ましくは、他のコンピュータシステムと通信する機能も含め、少なくとも音声通信機能と高度なデータ通信機能とを有する、二方向性の通信機器である。移動局２０２によって提供される機能性に応じて、移動局２０２は、データメッセージ通信機器、送受信兼用ポケットベル、データメッセージ通信機能付き携帯電話、無線インターネット設備、またはデータ通信機器（電話機能を有するものも有していないものも）と呼ばれる。移動局２０２は、地理的なカバレージエリア内にある複数の基地局トランシーバシステム２００のうちのいずれかと通信し得る。移動局２０２は、どの基地局トランシーバシステム２００と通信するかを選択するか、選択を促す。
【００２７】
移動局２０２は、通常、通信サブシステム２１１を組み込んでいる。通信サブシステム２１１は、受信器２１２と、送信器２１４と、１本以上のアンテナ要素（埋め込まれているか、内部にあることが好ましい）２１６および２１８等の関連するコンポーネントと、ローカル発振器（ＬＯ）２１３と、デジタルシグナルプロセッサ（ＤＳＰ）２２０のような処理モジュールとを含む。通信サブシステム２１１は、図１に示すＲＦトランシーバ回路網１０８およびアンテナ１１０と類似している。通信分野の当業者には明白であるように、通信サブシステム２１１の詳細な設計は、移動局２０２が動作するように意図される通信ネットワークに依存する。好ましくは、通信サブシステム２１１は無線ネットワーク（たとえばセルラー式ネットワーク）と通信するための第１のトランシーバ部分と、代替的な無線ネットワークと通信するための第２のトランシーバ部分とを有する。たとえば、第１のトランシーバ部分はＰｅｒｓｏｎａｌ  Ｃｏｍｍｕｎｉｃａｔｉｏｎ  Ｓｅｒｖｉｃｅ（ＰＣＳ）ネットワークと通信し得、第２のトランシーバ部分はＧＰＳネットワークと通信するためのものであり得る。アンテナ２１６は、通信サブシステム２１１の第１のトランシーバ部分と第２のトランシーバ部分とによって共有されている。この構造によって、モバイル機器２０２が両方のネットワークから同時に情報を受信することは困難であり、スイッチングが実行される場合、一方のネットワークまたは他方のネットワークからの情報が失われる。
【００２８】
移動局２０２は、ネットワーク上で通信信号を送受信する（たとえば要求されたネットワーク登録手順またはネットワーク起動手順が完了した後）。ネットワークを介してアンテナ２１６によって受信された信号は受信器２１２へ入力される。受信器２１２は、信号増幅、周波数下方変換、フィルタリング、チャネル選択等、また、図２の例で示すアナログ・デジタル（Ａ／Ｄ）変換等の一般的な機能を実行し得る。受信された信号のＡ／Ｄ変換は、ＤＳＰ２２０において実行される復調およびデコード等の複雑な通信機能を可能にする。同様の方法で、たとえば変調およびエンコードを含む、送信される信号は、ＤＳＰ２２０によって処理される。ＤＳＰに処理されたこれらの信号は、デジタル・アナログ（Ｄ／Ａ）変換、周波数上方変換、フィルタリング、増幅、アンテナ２１８を介しての通信ネットワークへの送信のために、送信器２１４へ入力される。ＤＳＰ２２０は、通信信号の処理のみでなく送信器および受信器の制御も行う。たとえば、受信器２１２および送信器２１４における通信信号に与えられるゲインは、ＤＳＰ２２０内で実行される自動ゲイン制御アルゴリズムを通じて、適合可能に制御され得る。
【００２９】
ネットワークアクセスは、移動局２０２の契約者またはユーザと関連するため、移動局２０２はメモリモジュール２６２を必要とする。メモリモジュール２６２とは、加入者識別モジュールすなわち「ＳＩＭ」、あるいはＲｅｍｏｖａｂｌｅ  Ｕｓｅｒ  Ｉｄｅｎｔｉｔｙ  Ｍｏｄｕｌｅ（Ｒ−ＵＩＭ）等であり、ネットワーク内で動作するために移動局２０２のインターフェース２６４内へ挿入されるか、インターフェース２６４と接続される。代替的に、不揮発性メモリまたはメモリフラッシュ２２４は、移動局２０２がネットワーク内で動作し得るように、構成データと共にサービスプロバイダによってプログラミングされる。
【００３０】
移動局２０２はバッテリで動く携帯可能な機器であるため、バッテリパックまたは第２の電源（図１と関連して説明した）等の異なる電源を受け入れるための電源インターフェース２５４をも必要とする。このような電源は、移動局２０２の全ての電気回路に対してではないにしても、ほとんどの電気回路へ電力を供給し、インターフェース２５４は、電気回路への機械的接続および電気的接続を提供する。電源インターフェース２５４は、回路全体へ電力を供給する調節器（図２には図示せず）と結合されている。
【００３１】
移動局２０２はマイクロプロセッサ２３８を含む（図１のコントローラ１０６の一実施である）。マイクロプロセッサ２３８は、移動局２０２の全体的な動作を制御する。この制御は、本発明のスロット予約技術を含む。少なくともデータ通信および音声通信を含む通信機能は、通信サブシステム２１１を介して実行される。マイクロプロセッサ２３８は、ディスプレイ２２２、フラッシュメモリ２２４、ランダムアクセスメモリ（ＲＡＭ）２２６、補助入力／出力（Ｉ／Ｏ）サブシステム２２８、シリアルポート２３０、キーボード２３２、スピーカ２３４、マイクロフォン２３６、短距離通信サブシステム２４０、および全体として２４２と表記された任意のその他の機器サブシステムとも相互作用する。図２に示す一部のサブシステムは通信関連機能を実行するのに対し、その他のサブシステムは「常駐型の」すなわちオンデバイスの機能を提供し得る。当然ながら、たとえばキーボード２３２およびディスプレイ２２２のような一部のサブシステムは、データ通信ネットワーク上に発信するテキストメッセージを入力するといった通信関連機能と、電卓またはタスクリストのような機器常駐型との両方に用いられ得る。マイクロプロセッサ２３８によって用いられるオペレーティングシステムソフトウェアは、好ましくは、フラッシュメモリ２２４のような持続性のメモリ内に格納されている。フラッシュメモリ２２４は、代替的に読取り専用メモリ（ＲＯＭ）または同様の記憶装置要素（図示せず）であり得る。当業者が認識するように、オペレーティングシステム、特定の機器アプリケーションまたはモジュール、あるいはそれらの一部は、ＲＡＭ２２６などの揮発性記憶装置内へ一時的にロードされ得る。
【００３２】
オペレーティングシステム機能に加え、マイクロプロセッサ２３８は、好ましくは移動局２０２上のソフトウェアアプリケーションの実行も可能である。少なくともデータ通信と音声通信とを含む、機器の基本動作を制御するアプリケーションの所定のセットは、通常、製造中に移動局２０２にインストールされている。移動局２０２にロードされ得る好ましいアプリケーションは個人情報管理（ＰＩＭ）アプリケーションである。個人情報管理（ＰＩＭ）アプリケーションはユーザに関連するデータ項目を整理し管理する機能を有する。このようなデータ項目は、電子メール、カレンダーの出来事、音声メール、約束およびタスクアイテム等であるが、これらに限定はされない。当然ながら、１つ以上のメモリストアは、ＰＩＭデータ項目とその他の情報との格納を容易にするために、移動局２０２およびＳＩＭ２５６上で利用可能である。
【００３３】
ＰＩＭアプリケーションは、好ましくは、無線ネットワークを介してデータ項目を送受信する機能を有する。好ましい一実施形態において、ＰＩＭデータ項目は、ホストコンピュータシステム内に格納されている、および／またはホストコンピュータシステムに関連する、機器のユーザに対応したデータ項目を用いて無線ネットワークを介して間断なく統合され、同期され、更新される。それによって、移動局２０２上に、このような項目に対するミラーされた（ｍｉｒｒｏｒｅｄ）ホストコンピュータを作成する。このことは特に、ホストコンピュータシステムが移動局のユーザのオフィスコンピュータである場合に有利である。追加のアプリケーションもまた、ネットワーク、補助Ｉ／Ｏサブシステム２２８、シリアルポート２３０、短距離通信サブシステム２４０、またはその他の任意の適切なサブシステム２４２を介して移動局２０２上へロードされ得、マイクロプロセッサ２３８によって実行するために、ＲＡＭ２２６または好ましくは不揮発性メモリ（図示せず）へ、ユーザによってインストールされ得る。アプリケーションのインストールにおけるこのような柔軟性は、移動局２０２の機能性を改良し、向上したオンデバイス機能または通信関連機能あるいはその両方の機能を提供し得る。たとえば、安全な通信アプリケーションによって、電子商取引機能やその他の金融取引が移動局２０２を利用して実行されることが可能になる。
【００３４】
データ通信モードにおいて、テキストメッセージ、電子メールメッセージ、またはウェブページのダウンロードのような受信信号は、通信サブシステム２１１によって処理され、マイクロプロセッサ２３８へ入力される。マイクロプロセッサ２３８は、好ましくは、ディスプレイ２２２、または代替的にその他の補助Ｉ／Ｏ装置２２８へ出力するために受信信号をさらに処理する。移動局２０２のユーザは、さらに、ディスプレイ２２２、場合によっては補助Ｉ／Ｏの機器２２８とも関連してキーボード２３２を用いて、たとえば電子メールメッセージ等のデータ項目を構成し得る。構成されたデータ項目は、通信サブシステム２１１を介して通信ネットワーク１４０１上で送信され得る。
【００３５】
音声通信モードにおいて、移動局２０２全体の動作は、受信された信号が、スピーカ２３４に出力され、送信される信号はマイクロフォン２３６によって生成されるという点を除けば、実質的に同様である。音声メッセージ記録サブシステムのような代替的な音声Ｉ／ＯサブシステムまたはオーディオＩ／Ｏサブシステムも、移動局２０２上で実施され得る。声または音声信号の出力は、好ましくは主にスピーカ２３４を介して遂行されるが、一部の例として、ディスプレイ２２２も、たとえば電話をかけた当事者の識別の表示、音声通話の長さ、または音声通話関連のその他の情報を提供するのに利用され得る。
【００３６】
図２のシリアルポート２３０は、通常、携帯情報端末（ＰＤＡ）タイプの通信機器において実施される。このような機器に対しては、ユーザのデスクトップコンピュータとの同期が望ましい要素であるが、必須ではない。シリアルポート２３０は、ユーザが外部の機器またはソフトウェアアプリケーションを介して要望を設定することを可能にし、無線通信ネットワークを介する以外の方法で移動局２０２へ情報またはソフトウェアのダウンロードを提供することによって、移動局２０２の機能を拡張する。代替的なダウンロード経路は、たとえば、直接的であり信頼性のある、信用される接続を介して移動局２０２へ暗号化の鍵をロードするのに利用され得る、それによって安全な機器通信を提供する。
【００３７】
図２の短距離通信サブシステム２４０は、追加の選択的なコンポーネントであり、移動局２０２と異なるシステムまたは機器との間の通信を提供する。異なるシステムまたは機器は、必ずしも同様の機器である必要はない。サブシステム２４０は、たとえば、赤外線機器やそれに関連する回路およびコンポーネント、もしくは、同様に可能であるシステムおよび機器との通信を提供するＢｌｕｅｔｏｏｔｈＴＭモジュールのような通信モジュールを含み得る。「ＢｌｕｅｔｏｏｔｈＴＭ」は、Ｂｌｕｅｔｏｏｔｈ  ＳＩＧの登録商標である。
【００３８】
図３は、移動局を利用し得る、セルラー式通信上でのプッシュトーク（ＰＴＴ）（ＰｏＣ）に属する、関連システムコンポーネント３００のブロック図である。移動局がＰｏＣ通信を利用する場合、移動局は低減されたスロットモードで動作することを要求する。代替的に、必要なときに低減されたスロットモードで動作するように基地局が移動局に対して命令してもよい。システムコンポーネント３００は、移動局を表すユーザ装備（ＵＥ）３０２と、Ｐｕｓｈ−ｔｏ−ｔａｌｋ  ｏｖｅｒ  Ｃｅｌｌｕｌａｒ（ＰｏＣ）サーバ３０４と、アクセス３０６と、Ｇｒｏｕｐ  ａｎｄ  Ｌｉｓｔ  Ｍａｎａｇｅｍｅｎｔ  Ｓｅｒｖｅｒ（ＧＬＭＳ）３０８と、ＩＰマルチメディアサブシステム（ＩＭＳ）コア３１２と、プレゼンスサーバ３１０とを含む。これらのコンポーネントの一部は選択的であり得、あるいは、基本的な動作に必ずしも必要なものではない。ＰｏＣアーキテクチャおよびＰｏＣ信号は、セルラー上のプッシュトーク（ＰｏＣ）アーキテクチャ、ＰｏＣ  Ｒｅｌｅａｓｅ  １．０−Ａｒｃｈｉｔｅｃｔｕｒｅ  Ｖ１．１．０（２００３−０８）  Ｔｅｃｈｎｉｃａｌ  Ｓｐｅｃｉｆｉｃａｔｉｏｎ、Ｐｕｓｈ−ｔｏ−ｔａｌｋ  ｏｖｅｒ  Ｃｅｌｌｕｌａｒ（ＰｏＣ）、Ｓｉｇｎａｌｉｎｇ  Ｆｌｏｗｓ、ＰｏＣ  Ｒｅｌｅａｓｅ  １．０−Ｓｉｇｎａｌｉｎｇ  Ｆｌｏｗｓ  Ｖ１．１．３（２００３−０８）Ｔｅｃｈｎｉｃａｌ  Ｓｐｅｃｉｆｉｃａｔｉｏｎ等の現在の標準仕様に記載されている従来のものと同様である。
【００３９】
ＰｏＣ通信セッションは、ＵＥ３０２のエンドユーザとの間のセッション接続である。エンドユーザは、セッション「参加者」と呼ばれ、半二重方式で一度に１セッション通信する。ＰｏＣ通信は、Ｖｏｉｃｅ  ｏｖｅｒ  ＩＰ（ＶｏＩＰ）技術を利用する。この技術は、音声情報を運ぶデータパケットの通信を含む。ＵＥ３０２は、端末装備（たとえば移動局）であり、ＰｏＣアプリケーションクライアントソフトウェアを含む。ＰｏＣアプリケーションクライアントソフトウェアは、本出願の機能を含むが、それ以外の点では従来技術を利用している。ＩＭＳコア３１２は、複数のＳｅｓｓｉｏｎ  Ｉｎｉｔｉａｔｉｏｎ  Ｐｒｏｔｏｃｏｌ（ＳＩＰ）プロキシとＳＩＰレジストラーとを含む。ＵＥ３０２への第１の接触点は、対外プロキシとしてＵＥ上に構成されたＩＭＳコア３１２内のプロキシのうちの１つである。ＩＭＳアーキテクチャにおいて、対外プロキシはＰｒｏｘｙ−ＣＳＣＦ（Ｐ−ＣＳＣＦ）として知られている。ＩＭＳコア３１２は、以下の機能：（１）ＵＥ３０２とＰｏＣサーバ３０４との間のＳＩＰシグナリングのルーティング、（２）ＵＥ３０２からのＳＩＰ圧縮の終了、（３）認証および許可、（４）登録状態およびＳＩＰセッション状態の維持、（５）課金システムへのレポートを実行する。ＵＥ３０２は、対外プロキシのＳＩＰ  Ｕｎｉｆｏｒｍ  Ｒｅｓｏｕｒｃｅ  Ｉｄｅｎｔｉｆｉｅｒ（ＵＲＩ）をＩＰアドレスに分解した後、全てのＳＩＰメッセージを対外プロキシのＩＰアドレスへ送信する。
【００４０】
エンドユーザは、グループ、コンタクトリスト、アクセスリストを管理するためにＧＬＭＳ３０８を利用する。コンタクトリストは、他のＰｏＣユーザまたはＰｏＣグループとのインスタントトークセッションを構築するためにエンドユーザによって利用され得る、一種のアドレス帳である。エンドユーザは、他のＰｏＣユーザまたはＰｏＣグループのＩＤを含む１〜数個のコンタクトリストを有し得る。コンタクトリストの管理は、ＧＬＭＳ３０８に位置するコンタクトリストをＵＥ３０２が格納したり引き出したりするのを可能にする動作を含む。エンドユーザはＰｏＣグループを定義することができる。エンドユーザは、グループのタイプに応じて、インスタントグループトークセッションやチャットグループトークセッションを開始する１つのグループをリストから選択し得る。アクセスリストは、エンドユーザとのインスタントトークセッションを開始することが可能であるかを制御する手段として、エンドユーザによって用いられる。アクセスリストは、他のエンドユーザまたはグループの、エンドユーザ定義されたＩＤを含む。エンドユーザは、１つのブロックされたＩＤリストと１つの許可されたＩＤリストとを有し得る。
【００４１】
ＰｏＣサーバ３０４は、ＰｏＣサービスを実行するための機能を含む。ＰｏＣサーバ３０４は、一般的に、（１）ＳＩＰシグナリングの終点、（２）実時間転送プロトコル（ＲＴＰ）およびＲＴＰ  Ｃｏｎｔｒｏｌ  Ｐｒｏｔｏｃｏｌ（ＲＴＣＰ）のシグナリングの終点、（３）ＳＩＰセッション処理、（４）グループへのアクセスに対するポリシー制御、（５）グループセッション処理、（６）アクセス制御、（７）取り込み中（ｄｏ−ｎｏｔ−ｄｉｓｔｕｒｂ）機能、（８）フロア制御機能（フロア制御とは、発言権を求めるＵＥからの要求を解決する制御メカニズムである）、（９）発話者のＩＤ、（１０）参加者情報、（１１）クオリティフィードバック、（１２）課金レポート、（１３）メディア配信、等の機能を実行する。プレゼンスサーバ３１０は、プレゼンスユーザ／ネットワーク／外部のエージェントによってアップロードされたプレゼンス情報を管理し、複数のソースから受信した情報からの、プレゼンス者に関するプレゼンス関連情報を、単一のプレゼンスドキュメントに結びつけることに責任がある。
【００４２】
Ｉｓインターフェースは、ＵＥ３０２とＩＭＳコア３１２との間の通信をサポートする。この通信は、ＰｏＣの特徴をサポートするＳＩＰ手順を含む。Ｉｓインターフェース用のプロトコルは、Ｓｅｓｓｉｏｎ  Ｉｎｉｔｉａｔｉｏｎ  Ｐｒｏｔｏｃｏｌ（ＳＩＰ）である。Ｉｓシグナリングは、Ｕｓｅｒ  Ｄａｔａｇｒａｍ  Ｐｒｏｔｏｃｌｏ（ＵＤＰ）上へ転送される。Ｉｆインターフェース上のプロトコルは、セッション制御のために、ＩＭＳコア３１２と、ＰｏＣサーバ３０４との間の通信をサポートする。Ｉｔインターフェース上のプロトコルは、ＵＥ３０２とＰｏＣサーバ３０４との間のトークバースト、フロア制御、リンククオリティメッセージの転送をサポートする。Ｉｍインターフェース上のプロトコルは、グループ、コンタクトリストおよびアクセスリスト、取り込み中指示を管理する目的で、ＵＥ３０２とＧＬＭＳ３０８との間の通信をサポートするＨＴＴＰ／ＸＭＬプロトコルはこれらの目的で利用される。Ｉｋインターフェース上のプロトコルは、ＰｏＣサーバ３０４とＧＬＭＳ３０８との間の通信をサポートし、ＰｏＣサーバ３０４がＧＬＭＳ３０８からグループおよびアクセスリストを引き出すことを可能にする。Ｉｐｓインターフェース上のプロトコルは、ＩＭＳコア３１２からプレゼンスサーバ３０４へ登録状態をアップロードすることと、プレゼンス情報をプレゼンスサーバ３１０とＵＥ３０２との間で広めることとを可能にする。Ｉｐｌインターフェース上のプロトコルは、取り込み中状態と、許可されたアクセスリスト／ブロックされたアクセスリストとをＧＬＭＳ３０８からプレゼンスサーバ３１０へアップロードすることを可能にする。Ｉｓインターフェース上で、ＵＥとＩＭＳコアとの間でグループトーク用に用いられるグループＩＤは、ＧＬＭＳ３０８によって生成される。
【００４３】
ＰｏＣシステムの各エンティティは、公共または私的な領域に属する１つ以上のＩＰアドレスを割り当てられる。他方で、エンドユーザは他のユーザを電話番号によってアドレス指定する。ＵＥ３０２は、ＴＥＬ  Ｕｎｉｆｏｒｍ  Ｒｅｓｏｕｒｃｅ  Ｌｏｃａｔｏｒ（ＵＲＬ）において電話番号をＩＭＳコア３１２へ送信する。電話番号は、国際的なＥ．１６４フォーマット（「＋」の印が前に付いている）または、ローカルなダイヤル方式とプレフィックスとを用いるローカルなフォーマットを利用し得る。ＩＭＳコア３１２は、前に「＋」のついた電話番号をＥ．１６４番号であると解釈する。ＰｏＣセッションのためにＴＥＬ  ＵＲＬによってアドレス指定することは、たとえばＰｏＣサーバ３０４がＤＮＳ／ＥＮＵＭまたは他のローカルデータベースを用いることによってＴＥＬ  ＵＲＬをＳＩＰ  ＵＲＩに分解できるということを要求する。ローカルフォーマットの電話番号は、ＤＮＳ／ＥＮＵＭが使用される前にＥ．１６４フォーマットへ変換される。
【００４４】
エンドユーザは、ＰｏＣトークセッションを開始し得る。Ｉｓインターフェース上のＩＮＶＩＴＥリクエストは、ＰｏＣサービスを示すメディア特徴タグと共に、「Ａｃｃｅｐｔ−Ｃｏｎｔａｃｔ」ヘッダを含んでいる。ＩＭＳコア３１２は、Ａｃｃｅｐｔ−Ｃｏｎｔａｃｔヘッダを点検することによって、そのリクエストをＰｏＣ通信として識別することができる。ＩＮＶＩＴＥのＲｅｑｕｅｓｔ−ＵＲＩは、あらかじめ構成された特別な識別（インスタントパーソナルトークおよび特別なインスタントグループ用）あるいはグループ識別（インスタントグループトークまたはチャットグループトーク用）のいずれかを含む。「ＲＥＦＥＲ」と用いる迅速な接続構築に利用可能なセッションを有するために、以前のセッション構築が利用される。以前のセッション構築のＩＮＶＩＴＥは、参照された当事者フィールドを有さず、このことから、他のＩＮＶＩＴＥとは区別される。一時的なグループＩＤは、ＰｏＣサーバ３０４によって生成され、ＵＥ３０２へ「Ｃｏｎｔａｃｔ」ヘッダにて配信される。開始ＵＥ３０２からは、招いているユーザの公のユーザＩＤが「Ｆｒｏｍ」ヘッダに含まれている。招かれているユーザへのシグナリングの際、「Ｆｒｏｍ」ヘッダは、公開ユーザＩＤ（インスタントパーソナルトーク、特別なインスタントグループ）またはグループＩＤ（インスタントグループトーク、またはチャットグループへ追加されるグループＩＤ）のいずれかを含む。
【００４５】
図４は、モバイル機器へのページメッセージの通信のための、複数のページングスロット４００の図示である。複数のページングスロット４００は、モバイル機器へ割り当てられた複数のページングスロット４０２を含む。複数のページングスロット４０２は、ページングスロット４０４、４０６、４０８および４１０を含む。これらのページングスロットは、定期的または周期的であり、固定の時間によって時間を分けられる。図４に示す、割り当てられたページングスロット４０２間の他の全てのページングスロットは、モバイル機器へ割り当てられず、モバイル機器がスリープモードで動作し得るか他のトランシーバ動作を実行し得るような時間を提供する。
【００４６】
通常のスロットモードにおいて動作している場合、モバイル機器は、所定の間隔でページングスロット内のページメッセージをモニタするように起動する。たとえば、ＩＳ−２０００が定義するＣＤＭＡにおいて、通常のスロットモードにおいて動作するモバイル機器は、１．２８＊２＾ｉ秒の間隔でページングスロット内のページメッセージをモニタするように起動する。ここで、ｉは０〜７の整数である。ｉの値は「スロットサイクル指数」と呼ばれ、モバイル機器によって選択され、ネットワークと共に登録される。スロットメッセージは、モバイル機器におけるバッテリ電力を節約するための努力の中、無線通信ネットワークにおいて何年もの間利用されてきた。ＩＳ−２０００のＲｅｌｅａｓｅ  Ｄでは、モバイル機器がアイドリング時やページをモニタリングしている際に「低減されたスロットモード」において動作することを可能にするという新規な特徴が定義された。具体的には、−４から−１の値が、低減されたスロットモードに対するスロットサイクル指数ｉに可能な値として認められる。このことによって、モバイル同士の通話においてより高速な通話セットアップ時間が可能となる。高速な通話セットアップのために短縮されたスロットサイクルは、Ｐｕｓｈ−Ｔｏ−Ｔａｌｋ（ＰＴＴ）通信アプリケーション等のアプリケーションのために非常に所望されている。低減されたスロットモードは、モバイル機器とネットワークとの間で、たとえば通話を発信する際にネゴシエートされ得るという点に留意されたい。この場合、低減されたスロットモードに対して同意されたｉの値は、モバイル機器とネットワークとが通常のスロットモードに対する以前のｉの値に戻すまでの時間の間、アクティブである。さらに、モバイル機器がアイドル状態の場合、新たなｉの値がネゴシエートされ、ある時間の間アクティブとなる。
【００４７】
モバイル機器が低減されたスロットモードにおいて動作することを要求する別の理由は、高速な通話セットアップやＰＴＴ通信とは無関係である。特に、モバイル機器が比較的高い容量または比較的大きな電源（たとえば壁に取り付けた電源、自動車電源、ＵＳＢコネクタを介するＰＣ電源）と共に動作している場合、モバイル機器は電力の節約とは関係なく短縮されたスロットサイクルを要求し得る。モバイル機器は、それ（たとえばＰＴＴ通信）を要求する別の機構がアクティブでない場合でも、短縮された通話セットアップ時間から利益を得るために、短縮されたスロットサイクルを要求する。
【００４８】
従来の動作では、通常のスロットモードにあるページングスロット間で、モバイル機器は比較的長い時間を有する。この時間の間、モバイル機器は「スリープモード」で動作するか、あるいは、ページをモニタリングしている間は本来ならばできないような任意のその他の動作を行う。このような動作は、Ｇｌｏｂａｌ  Ｐｏｓｉｔｉｏｎｉｎｇ  Ｓｙｓｔｅｍ（ＧＰＳ）信号を検索すること、現在のものと異なるその他のＣＤＭＡ周波数を走査すること、あるいは８０２．１１（たとえばＷｉＦｉ）、ＧＳＭ／ＧＰＲＳ、またはＵＭＴＳネットワークのようなその他の無線ネットワークを走査することを含む。しかしながら、低減されたスロットモードにおいて、モバイル機器はもはやこのような動作を実行するのに適切な時間を有していない。モバイル機器がこのような動作を低減されたスロットモードにおいて実行すると、割り当てられたページングスロットを失い得る。このページングスロット中にネットワークがモバイル機器をページングする場合、モバイル機器はページを失い、そのことによって通信準備に重大な遅れが生じ得る。従来のモバイル機器が、低減されたスロットモードにおいてこの方式で適切に動作できないのはこのような理由のためである。
【００４９】
図５は、スロットメッセージのためのスロット予約を用いた、ページメッセージをモバイル機器へ通信するための図４の複数のページングスロット４００の図示である。モバイル機器に関連する予約指示５０４は、スロット予約期間５０２を提供するために無線ネットワーク内で利用される。この期間の間は、ページメッセージはモバイル機器へ送信されてはならない。具体的には、予約指示５０４は、ページメッセージがモバイル機器へ送信されてはならない時間またはページングスロット番号を表す。予約期間５０２は、１つ以上のページングスロット時間以上であり、好ましくは、２つ以上のページングスロット時間以上である。
【００５０】
好ましくは、予約指示５０４は、モバイル機器に割り当てられた各ｎ番目のスロット（１または複数）を予約するためのものである。ここで、ｎは２以上の整数である。ｎの値は、たとえば、２、４、８、１６等であり得る。明らかなように、無線ネットワークは、このような予約指示に関連するモバイル機器への任意のページメッセージを、予約と関連する各ｎ番目のスロット（１または複数）（たとえば、割り当てられたページングスロットの各ｎ番目のセット４０４、４０６、４０８）内で送信させないように延期または抑制する。無線ネットワークは代わりに、予約期間５０２が切れた直後に、モバイル機器に割り当てられた１つ以上の次のページングスロット４１０内へ、延期されたページメッセージ５０６を送信させ得る。モバイル機器は、予約と関連する各ｎ番目のページングスロット（１または複数）（たとえば、割り当てられたページングスロットの各ｎ番目のセット４０４、４０６、４０８）内にある任意のページメッセージをモニタすることを抑制するように動作し得る。
【００５１】
予約指示５０４は、二進法の指示またはビットフラッグのような単純なものであり得る。ここで、「０」＝予約なし、「１」＝予約＝所定の時間Ｔまたはページングスロットの数Ｎおよび／または値ｎである。代替的に、予約指示５０４は、所定の時間またはページメッセージが送信されなければならないページングスロットの数と相関する値であり得る。このような指示５０４は、モバイル機器からネットワークへ送信され得、あるいは、このような必要性を示すモバイル機器に関連するその他のデータに基づいて、ネットワークによって推測され得る。特に、無線ネットワークは、Ｐａｇｉｎｇ  ＣｈａｎｎｅｌまたはＢｒｏａｄｃａｓｔ  Ｃｏｍｍｏｎ  Ｃｏｎｔｒｏｌ  Ｃｈａｎｎｅｌ等から送信されたＮｅｉｇｈｂｏｒ  Ｌｉｓｔ  Ｍｅｓｓａｇｅ、Ｅｘｔｅｎｄｅｄ  Ｎｅｉｇｈｂｏｒ  Ｌｉｓｔ  ＭｅｓｓａｇｅまたはＧｅｎｅｒａｌ  Ｎｅｉｇｈｂｏｒ  Ｌｉｓｔ  Ｍｅｓｓｅｇｅのような、モバイル機器に関連する近辺リストメッセージを用いることによって推測し得る。この場合、無線ネットワークはメッセージにおいて、現在のネットワーク周波数とは異なる周波数の存在または現在のネットワークと異なる無線技術（たとえばＨｉｇｈ  Ｒａｔｅ  Ｐａｃｋｅｔ  ＤａｔａすなわちＨＲＰＤ、Ｗｉｄｅｂａｎｄ  ＣＤＭＡ、ＧＳＭ／ＧＰＲＳ、ＷＬＡＮ等）の存在を識別し得る。このような識別に応じて、無線ネットワークはある時間の間、無線機器のために予約を設定する。この時間は、無制限であることが好ましい。
【００５２】
図６は、無線ネットワークにおいてスロットメッセージに対するスロット予約を提供するためのモバイル機器方法を説明するフローチャートである。図６の方法は、無線ネットワークにおいて動作するモバイル機器によって実行される（たとえば、図１〜図２参照）。図１〜図２に関連して説明したように、モバイル機器は、無線トランシーバと、無線トランシーバに結合されたアンテナと、これらのコンポーネントに結合され、方法の動作を実行できるように動作可能な１つ以上のプロセッサとを含み得る。特に、無線トランシーバは、無線ネットワーク（たとえば、セルラーまたはＰＣＳネットワーク）と通信するための第１のトランシーバ部分と、代替の無線ネットワーク（たとえば、ＧＰＳネットワーク）と通信するための第２のトランシーバ部分を有し得る。アンテナは第１のトランシーバ部分と第２のトランシーバ部分とによって共有される。この場合、１つ以上のプロセッサは、予約されたページングスロットの間、第２のトランシーバ部分を用いて、代替の無線ネットワークのチャネルをモニタするように更に動作可能である。本出願のコンピュータプログラム製品が、説明された論理に従って書き込まれた記憶媒体（メモリ、フロッピー（登録商標）ディスクまたはＣＤ−ＲＯＭ）に格納される、コンピュータ命令を含み得ることに留意されたい。
【００５３】
図６の開始ブロック６０２において始まり、モバイル機器は、セルラー電気通信ネットワーク（図６のステップ６０４）との通信のために、その無線（ＲＦ）トランシーバの動作を維持する。この時間の間、モバイル機器は、その割り当てられたページングスロットのそれぞれに対し、セルラーネットワークにおけるページメッセージをモニタする。特に、モバイル機器は、ページングの低減されたスロットモードを用いて、通信のＰＴＴモードまたはＰｏＣモードにおいて動作する。
【００５４】
この時間の間、モバイル機器は、特定の機能が実行されるべきかを識別する。この機能は、モバイル機器が、その無線トランシーバを現在のチャネルまたは周波数（たとえば、ＣＤＭＡチャネルまたは周波数）から切り替えさせる。この機能は、たとえば、ネットワーク走査動作になり得る。本実施形態において、機能は、上記されたように、ＧＰＳ固定である。したがって、この実施形態において、モバイル機器は、ＧＰＳ機能が実行されるべきかを識別する（図６のステップ６０６）。実行されるべきでない場合、モバイル機器は、セルラーネットワークにおいてトランシーバ動作を維持する。
【００５５】
ステップ６０６において、ＧＰＳ機能が実行されるべきである場合、モバイル機器は、スロット予約リクエストをセルラーネットワークに送信する（図８のステップ６０８）。スロット予約リクエストは、図５に関連して説明したように、ページメッセージがモバイル機器に送信されるべきではないスロット予約期間を示す、スロット予約指示を含む。特に、予約指示は、ページメッセージがモバイル機器に運ばれる（ｄｅｌｉｖｅｒｅｄ）べきではない期間およびページングスロットの数を示す。予約期間は、１つ以上のページングスロット期間以上であり、好ましくは、２つ以上のページングスロット期間以上である。さらに、より詳細には、予約期間は、ステップ６０６において識別される所定の機能（たとえばＧＰＳ固定）を実行するために、期間以上である。好ましくは、スロット予約リクエストは、ｎが２以上の整数である、モバイル機器に割り当てられた各ｎ番目のページングスロットを予約するためである。ｎの値は、たとえば、２，４，８，１６等になり得る。
【００５６】
モバイル機器は、以前にそのようなリクエストが送信され得たように、ステップ６０８において、スロット予約リクエストを送信する必要はない。ここで、各ｎ番目のページングスロットに対する予約が既に理解されている。そのような予約は、比較的長い期間または無期限であり得、期間のある時点において、モバイル機器によって終了され得またはされ得ない。ここにおいて、モバイル機器は、単に、機能を実行する間の次の予約されたページングスロットを識別する必要がある。
【００５７】
次に、モバイル機器は、ＧＰＳネットワークとの通信のために切り替えする（図６のステップ６１０）。モバイル機器は、ＧＰＳネットワークとの通信のために無線トランシーバの動作を維持する（図６のステップ６１２）。ＧＰＳネットワークとの通信のために動作する場合、モバイル機器は、信号を聞きまたはリスンし、もしくはセルラーネットワークと通信することが不可能である。明白なように、モバイル機器は、予約されたページングスロットにおける任意のページメッセージをモニタすることを抑える。特に、ステップ６１２において、モバイル機器は、「ＧＰＳ固定」を実行し得る。モバイル機器は、現在のネットワークとの通信のために使用されることと異なる、ＧＰＳシステムのＧＰＳ信号周波数に合わせるべきであり、位置情報を受信する。モバイル機器は、その現在の位置を測定および得ることに役立つＧＰＳシステムから受信される信号に基づいて、ＧＰＳ情報を得る。ステップ６１２におけるモバイル機器の動作の間、リアルタイムＧＰＳ位置情報は、得られ得、受信するエンティティに送信される。
【００５８】
６１４において識別されるように、ＧＰＳ機能がまだ完成されていない場合、モバイル機器は、ＧＰＳ機能を実行し続ける。そうでない場合、ステップ６１４において識別されるようにＧＰＳ機能が完成された場合、モバイル機器は、セルラーネットワークとの通信のために再び切り替わる（図６のステップ６１６）。ステップ６０４において、セルラーネットワークとの通信のために無線トランシーバの動作は、再度維持される。この時間の間、モバイル機器は、その割り当てられたページングスロットのそれぞれに対するセルラーネットワークにおけるページメッセージを再度モニタする。明白なように、フローチャートは、モバイル機器の全ての後続動作のために繰り返す。
【００５９】
したがって、図６のステップ６１２において、モバイル機器は、現在のネットワークチャネルから、一回以上離れ、各回は、たとえば、３００ミリ秒から２秒の任意の間にある。明白なように、ネットワークからのページメッセージは、モバイル機器がこれらの機能を実行する間、失われ得る。しかしながら、好都合にも、モバイル機器がネットワークにおいてページングスロットを予約したため、ネットワークは、一つ以上の予約されたページングスロットの間、任意のページメッセージをモバイル機器に送信することを抑える。
【００６０】
図７は、無線ネットワークにおけるスロットメッセージのためのスロット予約を提供するネットワーク方法を説明するフローチャートである。図７の方法は、無線ネットワーク内のネットワーク処理コンポーネントによって行われる（図１を参照）。ネットワーク処理コンポーネントは、たとえば、特定の実施に依存して、基地局コントローラまたは基地局内に含まれ得る。ネットワーク処理コンポーネントは、１つ以上のプロセッサ、それら１つ以上のプロセッサに結合されるメモリ、そのメモリに格納され、方法のアクトを行うために、それら１つ以上のプロセッサによって実行可能なコンピュータ命令を含み得る。また、本アプリケーションのコンピュータプログラム製品は、記載されたロジックに従い書き込まれた格納媒体（メモリ、フロッピー（登録商標）ディスク、またはＣＤ−ＲＯＭ）に格納されたコンピュータ命令を含み得る。
【００６１】
図７の開始ブロック７０２において始まり、無線ネットワークは、ネットワークにおいて動作するモバイル機器をページングするための複数の新しいページメッセージリクエストを受信する（図７のステップ７０４）。次に、無線ネットワークは、現在のページングスロット内において提供され得るページメッセージリクエストの全部を識別する（図７のステップ７０６）。そして、無線ネットワークは、現在の予約期間を有するモバイル機器のこれらのリクエストを識別し、個々に分け、後の操作のためにこれらのリクエストを格納する（図７のステップ７０８）。次に、無線ネットワークは、現在のページングスロット内のこれらのリクエストに対するページメッセージを提供し、何のスロット予約も有さないモバイル機器のためにこれらのリクエストを優先する（図７のステップ７１０）。無線ネットワークはそして、現在のページングスロットのページメッセージが送信されるようにする（図７のステップ７１２）。次に、ページメッセージのサブセットは、現在のページングスロット内において送信される。明白なように、無線ネットワークは、ページメッセージが、スロット予約に関連するモバイル機器のためのスロット予約の識別に基いて、現在のページングスロット内において送信されることを抑える。一方、無線ネットワークは、ページメッセージが予約指示に関連するモバイル機器の任意の予約指示の識別に失敗したことに基き、ページングスロット内において送信されるようにする。
【００６２】
無線ネットワークが、各予約指示に関するカウンタまたはタイマを維持すること、および、そのカウンタまたはタイマの値が、予約指示に従い設定され、リクエストの受信の際において開始されること、を留意されたい。カウンタおよびタイマが満了すると、予約期間は終了し、モバイル機器に対する任意のページメッセージリクエストは、他の典型的に操作されるページメッセージリクエストと同等の優先度において扱われる。したがって、次に、無線ネットワークは、予約に関する予約期間が終了した後において、予約指示を伴うモバイル機器のページメッセージが、次のページングスロット内において送信されるようにする。
【００６３】
前述されたように、無線ネットワークはまた、モバイル機器からのそのような指示を受信する代わりに、モバイル機器のための予約の必要性を推測し得る。特に、無線ネットワークは、モバイル機器に関連する隣接（ｎｅｉｇｈｂｏｒ）リストメッセージの使用を介して、予約を推測し得る。ここにおいて、その近辺リストメッセージは、Ｐａｇｉｎｇ  Ｃｈａｎｎｅｌ，またはＢｒｏａｄｃａｓｔ  Ｃｏｍｍｏｎ  Ｃｏｎｔｒｏｌ  Ｃｈａｎｎｅｌのような制御チャネル上において送信されるＮｅｉｇｈｂｏｒ  Ｌｉｓｔ  Ｍｅｓｓａｇｅ、Ｅｘｔｅｎｄｅｄ  Ｎｅｉｇｈｂｏｒ  Ｌｉｓｔ  Ｍｅｓｓａｇｅ、または、Ｇｅｎｅｒａｌ  Ｎｅｉｇｈｂｏｒ  Ｌｉｓｔ  Ｍｅｓｓａｇｅ等である。この場合において、無線ネットワークは、現在のネットワーク周波数とは異なる周波数の存在を、または、現在のネットワークの無線技術とは異なる無線技術（たとえば、Ｈｉｇｈ  Ｒａｔｅ  Ｐａｃｋｅｔ  Ｄａｔａ（つまり、ＨＲＰＤ）、Ｗｉｄｅｂａｎｄ  ＣＤＭＡ、ＧＳＭ／ＧＰＲＳ、ＷＬＡＮ等）の存在を、メッセージ内において識別し得る。そのような識別に応答し、無線ネットワークは、任意の期間における無線機器の予約を設定する。モバイル機器自体が、近辺リストメッセージに基づき、予約を発生させることを留意されたい。
【００６４】
無線通信ネットワーク内におけるスロットメッセージのためのスロット予約を提供する方法および装置が記載された。例示的な一実施例において、モバイル通信機器は、モバイル機器に割り当てられる各ｎ番目のページングスロットを予約するために、無線ネットワークへスロット予約指示を送信する。任意の時点において、モバイル機器をページングするページメッセージリクエストは、無線ネットワーク内において受信される。モバイル機器をページングするページメッセージは、予約されたページングスロット内において送信されることを抑制されるが、むしろ、モバイル機器にページングするページメッセージは、予約されたページングスロットに関する期間の経過後において、モバイル機器に割り当てられた次のページングスロット内において送信される。スロット予約中において、モバイル機器は、ＧＰＳ位置固定（ｌｏｃａｔｉｏｎ  ｆｉｘ）またはネットワークスキャンオペレーションのような機能を行い得る。モバイル機器から送信される指示の代替法として、無線ネットワークは、他の情報に応答して、モバイル機器の予約リクエストの必要性を推測し得る。特に、無線ネットワークは、モバイル機器の近辺リストメッセージを検査することによって予約を推測し得る。ここにおいて、その近辺リストメッセージは、Ｐａｇｉｎｇ  Ｃｈａｎｎｅｌ，またはＢｒｏａｄｃａｓｔ  Ｃｏｍｍｏｎ  Ｃｏｎｔｒｏｌ  Ｃｈａｎｎｅｌのような制御チャネル上において送信されるＮｅｉｇｈｂｏｒ  Ｌｉｓｔ  Ｍｅｓｓａｇｅ、Ｅｘｔｅｎｄｅｄ  Ｎｅｉｇｈｂｏｒ  Ｌｉｓｔ  Ｍｅｓｓａｇｅ、または、Ｇｅｎｅｒａｌ  Ｎｅｉｇｈｂｏｒ  Ｌｉｓｔ  Ｍｅｓｓａｇｅ等である。この場合において、無線ネットワークは、現在のネットワーク周波数とは異なる周波数の存在を、または、現在のネットワークの無線技術とは異なる無線技術の存在を、メッセージ内において識別し得、応答として、モバイル機器の予約を設定し得る。記載された方法は、たとえば、特定の実施に依存して、基地局コントローラまたは基地局内において含まれるネットワーク処理コンポーネントによって行われ得る。ここにおいて、ネットワーク処理コンポーネントは、１つ以上のプロセッサ、それら１つ以上のプロセッサに結合されるメモリ、そのメモリに格納され、方法のアクトを行うために、それら１つ以上のプロセッサによって実行可能なコンピュータ命令を含み得る。また、本願のコンピュータプログラム製品は、記載された方法のステップに従い書き込まれた格納媒体（メモリ、フロッピー（登録商標）ディスク、またはＣＤ−ＲＯＭ）に格納されたコンピュータ命令を含み得る。
【００６５】
関連するモバイル機器の方法は、モバイル機器から無線ネットワークへ送信される、スロット予約指示を生じるステップを含み、そのスロット予約指示は、モバイル機器へ割り当てられた各ｎ番目のページングスロットを予約するものである、ステップと、スロット予約指示を送信した後、予約されたページングスロットにおいて任意のページメッセージを監視することを抑えるステップとを含む。本出願のコンピュータプログラム製品は、記述された方法のステップに従って書かれた記憶装置媒体（メモリ、フロッピー（登録商標）ディスク、またはＣＤ−ＲＯＭ）に格納されたコンピュータ命令を含み得る。この方法を実行するモバイル機器は、無線トランシーバ、無線トランシーバに結合されるアンテナ、および、これらのコンポーネントに結合され、本方法のアクトを実行するように動作する１つ以上のプロセッサとを含み得る。特に、無線トランシーバは、無線ネットワークと通信する第１のトランシーバ部分、および、代替的な無線ネットワークと通信する第２のトランシーバ部分を有し得、そのアンテナは、第１および第２のトランシーバ部分によって共有され、１つ以上のプロセッサは、さらに、予約されたページングスロットの間、第２のトランシーバ部分の使用を用いて、代替的な無線ネットワークのチャンネルを監視するために動作する。
【００６６】
本出願の上記された実施形態は例示のみを意図されている。たとえば、代替的なネットワークは、Ｈｉｇｈ  Ｒａｔｅ  Ｐａｃｋｅｔ  Ｄａｔａ（ＨＲＰＤ）ネットワーク、広帯域ＣＤＭＡネットワーク、ＧＳＭ／ＧＰＲＳネットワーク、またはＷＬＡＮネットワークであり得る。当業者は、本出願の範囲から逸れることなく、特定の実施形態に対して、変更、修正、および変形を達成し得る。列挙された請求の範囲においてここで記載された本発明は、技術における全ての適切な変化をカバーおよび包括することを意図する。
【図面の簡単な説明】
【００６７】
【図１】図１は、移動局の付属コンポーネントと無線通信ネッワークとを示すブロック図である。
【図２】図２は、図１の好ましい移動局の、より詳細なブロック図である。
【図３】図３は、移動局に対するＰｕｓｈ−ｔｏ−ｔａｌｋ（ＰＴＴ）ｏｖｅｒ  Ｃｅｌｌｕｌａｒ（ＰｏＣ）通信セッションの付属システムコンポーネントのブロック図である。
【図４】図４は、移動局へページメッセージを通信するためのページングスロットの図示である。
【図５】図５は、許容可能な遅延を伴う、移動局へページメッセージを通信するためのページングスロットの図示である。
【図６】無線ネットワークにおいてスロットメッセージのためのスロット予約を提供するモバイル機器方法を説明する、フローチャートである。
【図７】無線ネットワークにおいてスロットメッセージのためのスロット予約を提供するネットワーク方法を説明する、フローチャートである。
【図１】
2007513590.tif 000003
【図２】
2007513590.tif 000004
【図３】
2007513590.tif 000005
【図４】
2007513590.tif 000006
【図５】
2007513590.tif 000007
【図６】
2007513590.tif 000008
【図７】
2007513590.tif 000009
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
無線通信ネットワークにおいてスロットメッセージに対するスロット予約を提供する方法であって、該方法は、
該無線ネットワーク内で、該無線ネットワークにおいて動作しているモバイル通信機器に対するページメッセージリクエストを受信するステップと、
１つ以上のページングスロットを予約するための、モバイル機器に対するスロット予約指示を識別することに基づいて、該ページメッセージリクエストに対応するページメッセージを該モバイル機器に割り当てられている該１つ以上のページングスロット内へ送信させるのを抑えるステップと、
該１つ以上のページングスロットに関連する時間が経過した後、該モバイル機器に割り当てられている１つ以上の次のページングスロット内へ該ページメッセージを送信させるステップと
を包含する、方法。
【請求項２】
前記スロット予約指示を識別しないことに基づいて、前記モバイル機器に割り当てられている前記１つ以上のページングスロット内へ前記ページメッセージを送信させることをさらに包含する、請求項１に記載の方法。
【請求項３】
前記モバイル機器から前記スロット予約指示を受信することをさらに包含する、請求項１に記載の方法。
【請求項４】
前記モバイル機器によって実行される所定の機能を識別することと、
該モバイル機器によって実行される該所定の機能を識別することに基づいて、該モバイル機器に対して前記スロット予約指示を設定することと
をさらに包含する、請求項１に記載の方法。
【請求項５】
前記スロット予約指示が、前記モバイル機器へ割り当てられた複数のページングスロットのうちの各ｎ番目のページングスロットを備える、１つ以上のページングスロットを予約するためのものである、請求項１に記載の方法。
【請求項６】
前記モバイル機器に対する近辺リストメッセージに基づいて、該モバイル機器に対して前記スロット予約指示を設定することをさらに包含する、請求項１に記載の方法。
【請求項７】
コンピュータプログラム製品であって、
コンピュータ可読媒体と、
該コンピュータ可読媒体に格納されているコンピュータ命令と
を有し、
該コンピュータ命令は、
無線通信ネットワーク内で、該無線ネットワークにおいて動作しているモバイル通信機器に対するページメッセージリクエストを受信し、
モバイル機器に対して１つ以上のページングスロットを予約するためのスロット予約指示を識別することに基づいて、該ページメッセージリクエストに対応するページメッセージを該モバイル機器に割り当てられている該１つ以上のページングスロット内へ送信させるのを抑え、
該１つ以上のページングスロットに関連する時間が経過した後、該モバイル機器に割り当てられている１つ以上の次のページングスロット内へ該ページメッセージを送信させる
ために、１つ以上のプロセッサによって実行可能である、コンピュータプログラム製品。
【請求項８】
前記コンピュータ命令が、
前記スロット予約指示を識別しないことに基づいて、前記モバイル機器に割り当てられている前記１つ以上のページングスロット内へ前記ページメッセージを送信させるためにさらに実行可能である、請求項７に記載のコンピュータプログラム製品。
【請求項９】
前記コンピュータ命令が、
前記モバイル機器から前記スロット予約指示を受信するためにさらに実行可能である、請求項７に記載のコンピュータプログラム製品。
【請求項１０】
前記コンピュータ命令が、
前記モバイル機器によって実行される所定の機能を識別し、
該モバイル機器によって実行される該所定の機能を識別することに基づいて、該モバイル機器に対して前記スロット予約指示を設定する
ためにさらに実行可能である、請求項７に記載のコンピュータプログラム製品。
【請求項１１】
前記スロット予約指示が、前記モバイル機器へ割り当てられた複数のページングスロットのうちの各ｎ番目のページングスロットを備える、１つ以上のページングスロットを予約するためのものである、請求項７に記載のコンピュータプログラム製品。
【請求項１２】
前記コンピュータ命令が、
前記モバイル機器に対する近辺リストメッセージに基づいて、該モバイル機器に対して前記スロット予約指示を設定するためにさらに実行可能である、請求項７に記載のコンピュータプログラム製品。
【請求項１３】
無線通信ネットワークにおいて使用するためのネットワーク処理コンポーネントであって、
１つ以上のプロセッサと、
メモリと、
該メモリ内に格納されたコンピュータ命令と
を有し、
該コンピュータ命令は、
無線通信ネットワーク内で、該無線ネットワークにおいて動作しているモバイル通信機器に対するページメッセージリクエストを受信し、
モバイル機器に対して１つ以上のページングスロットを予約するためのスロット予約指示を識別することに基づいて、該ページメッセージリクエストに対応するページメッセージを該モバイル機器に割り当てられている該１つ以上のページングスロット内へ送信させるのを抑え、
該１つ以上のページングスロットに関連する時間が経過した後、該モバイル機器に割り当てられている１つ以上の次のページングスロット内へ該ページメッセージを送信させる
ために、該１つ以上のプロセッサによって実行可能である、ネットワーク処理コンポーネント。
【請求項１４】
前記コンピュータ命令が、
前記スロット予約指示を識別しないことに基づいて、前記モバイル機器に割り当てられている前記１つ以上のページングスロット内へ前記ページメッセージを送信させるためにさらに実行可能である、請求項１３に記載のネットワーク処理コンポーネント。
【請求項１５】
前記コンピュータ命令が、
前記モバイル機器から前記スロット予約指示を受信するためにさらに実行可能である、請求項１３に記載のネットワーク処理コンポーネント。
【請求項１６】
前記コンピュータ命令が、
前記モバイル機器によって実行される所定の機能を識別し、
該モバイル機器によって実行される該所定の機能を識別することに基づいて、該モバイル機器に対して前記スロット予約指示を設定する
ためにさらに実行可能である、請求項１３に記載のネットワーク処理コンポーネント。
【請求項１７】
前記スロット予約指示が、前記モバイル機器へ割り当てられた各ｎ番目のページングスロットを予約するためのものである、請求項１３に記載のネットワーク処理コンポーネント。
【請求項１８】
無線通信ネットワークにおいてスロット予約を提供する方法であって、該方法は、
モバイル機器から該無線ネットワークへスロット予約指示を送信させるステップであって、該スロット予約指示は、該モバイル機器に割り当てられている該無線ネットワークの１つ以上のページングスロットを予約するためのものである、ステップと、
該スロット予約指示が送信された後、該無線ネットワークの該１つ以上のページングスロットにおいてページメッセージをモニタリングすることを抑えるステップと
を包含する、方法。
【請求項１９】
前記スロット予約指示が、前記モバイル機器へ割り当てられた複数のページングスロットのうちの各ｎ番目のページングスロットを備える、１つ以上のページングスロットを予約するためのものである、請求項１８に記載の方法。
【請求項２０】
前記１つ以上のページングスロット中に、同一または異なる無線ネットワークの異なるチャネルをモニタリングすることをさらに包含する、請求項１８に記載の方法。
【請求項２１】
前記１つ以上のページングスロット中に、Ｇｌｏｂａｌ  Ｐｏｓｉｔｉｏｎｉｎｇ  Ｓｙｓｔｅｍ（ＧＰＳ）固定を実行することをさらに包含する、請求項１８に記載の方法。
【請求項２２】
前記１つ以上のページングスロット中に、ネットワーク走査動作を実行することをさらに包含する、請求項１８に記載の方法。
【請求項２３】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記方法が、
前記１つ以上のページングスロット中に、該第２のトランシーバ部分を用いて該第２の無線ネットワークのチャネルをモニタリングすることをさらに包含する、請求項１８に記載の方法。
【請求項２４】
コンピュータプログラム製品であって、
コンピュータ可読媒体と、
該コンピュータ可読媒体に格納されているコンピュータ命令と
を有し、
該コンピュータ命令は、
該モバイル機器に割り当てられている無線ネットワークの１つ以上のページングスロットを予約するためのものであるスロット予約指示をモバイル機器から無線通信ネットワークへ送信させ、
該スロット予約指示が送信された後、該無線ネットワークの該１つ以上のページングスロットにおいてページメッセージをモニタリングすることを抑える
ために、１つ以上のプロセッサによって実行可能である、コンピュータプログラム製品。
【請求項２５】
前記スロット予約指示が、前記モバイル機器へ割り当てられた複数のページングスロットのうちの各ｎ番目のページングスロットを備える、１つ以上のページングスロットを予約するためのものである、請求項２４に記載のコンピュータプログラム製品。
【請求項２６】
前記コンピュータ命令が、
前記１つ以上のページングスロット中に、同一または異なる無線ネットワークの異なるチャネルをモニタリングするためにさらに実行可能である、請求項２４に記載のコンピュータプログラム製品。
【請求項２７】
前記コンピュータ命令が、
前記１つ以上のページングスロット中に、Ｇｌｏｂａｌ  Ｐｏｓｉｔｉｏｎｉｎｇ  Ｓｙｓｔｅｍ（ＧＰＳ）固定を実行するためにさらに実行可能である、請求項２４に記載のコンピュータプログラム製品。
【請求項２８】
前記コンピュータ命令が、前記１つ以上のページングスロット中に、ネットワーク走査処理を実行するためにさらに実行可能である、請求項２４に記載のコンピュータプログラム製品。
【請求項２９】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記コンピュータ命令が、
前記１つ以上のページングスロット中に、該第２のトランシーバ部分を用いて該第２の無線ネットワークのチャネルをモニタリングするためにさらに実行可能である、請求項２４に記載のコンピュータプログラム製品。
【請求項３０】
モバイル通信機器であって、
１つ以上のプロセッサと、
該１つ以上のプロセッサと結合された無線トランシーバとを備え、
該１つ以上のプロセッサが、
該モバイル機器に割り当てられている無線ネットワークの１つ以上のページングスロットを予約するためのものであるスロット予約指示をモバイル機器から無線通信ネットワークへ送信させ、
該スロット予約指示が送信された後、該無線ネットワークの該１つ以上のページングスロットにおいてページメッセージをモニタリングすることを抑える
ように動作する、モバイル通信機器。
【請求項３１】
前記スロット予約指示が、前記モバイル機器へ割り当てられた複数のページングスロットのうちの各ｎ番目のページングスロットを備える、１つ以上のページングスロットを予約するためのものである、請求項３０に記載のモバイル通信機器。
【請求項３２】
前記１つ以上のプロセッサが、
前記１つ以上のページングスロット中に、同一または異なる無線ネットワークの異なるチャネルをモニタリングするようにさらに動作する、請求項３０に記載のモバイル通信機器。
【請求項３３】
前記１つ以上のプロセッサが、
前記１つ以上のページングスロット中に、Ｇｌｏｂａｌ  Ｐｏｓｉｔｉｏｎｉｎｇ  Ｓｙｓｔｅｍ（ＧＰＳ）固定を実行するようにさらに動作する、請求項３０に記載のモバイル通信機器。
【請求項３４】
前記１つ以上のプロセッサが、
前記１つ以上のページングスロット中に、ネットワーク走査処理を実行するようにさらに動作する、請求項３０に記載のモバイル通信機器。
【請求項３５】
前記無線ネットワークが第１の無線ネットワークを有し、前記モバイル機器が該第１の無線ネットワークと通信するための第１のトランシーバ部分と、第２の無線ネットワークと通信するための第２のトランシーバ部分と、該第１のトランシーバ部分と該第２のトランシーバ部分によって共有されているアンテナとを有し、
前記１つ以上のプロセッサが、
前記１つ以上のページングスロット中に、該第２のトランシーバ部分を用いて該第２の無線ネットワークのチャネルをモニタリングするためにさらに実行可能である、請求項３０に記載のモバイル通信機器。
【請求項３６】
前記１つ以上のプロセッサが、近辺リストメッセージに基づいて前記スロット予約指示を送信するようにさらに動作する、請求項３０に記載のモバイル通信機器。
【国際調査報告】
2007513590.tif 000010
2007513590.tif 000011